(57)【要約】【課題】回転する羽根がなく、紐等の巻きつきや、指の怪我などが生じない安全度が高い送風機を提供する。【解決手段】羽根の無い送風機であって、空気の吐出及び吸気を行うダクトの送風口が表面に設けられた筐体と、該筐体内の空間を第一空間と第二空間に気密に仕切る仕切り板と、該仕切り板に取り付けられ、入力された電気信号に応じて振動する振動板を有する低周波振動装置とを備え、前記ダクトは、前記第一空間に接続する第一ダクトと、前記第二空間に接続する第二ダクトとを有し、前記振動板の振動によって、前記第一ダクト及び第二ダクトを通じて前記筐体内の空気の吐出、及び、前記筐体内への空気の吸気を行うものであることを特徴とする送風機。【選択図】  図１
2017025726.tif 000002
【特許請求の範囲】
【請求項１】
羽根の無い送風機であって、
空気の吐出及び吸気を行うダクトの送風口が表面に設けられた筐体と、該筐体内の空間を第一空間と第二空間に気密に仕切る仕切り板と、該仕切り板に取り付けられ、入力された電気信号に応じて振動する振動板を有する低周波振動装置とを備え、
前記ダクトは、前記第一空間に接続する第一ダクトと、前記第二空間に接続する第二ダクトとを有し、
前記振動板の振動によって、前記第一ダクト及び第二ダクトを通じて前記筐体内の空気の吐出、及び、前記筐体内への空気の吸気を行うものであることを特徴とする送風機。
【請求項２】
前記第一ダクト及び第二ダクトの送風口が、前記筐体の表面における同一の面に配置されたものであることを特徴とする請求項１に記載の送風機。
【請求項３】
前記第一ダクト及び第二ダクトの送風口が、前記筐体の表面における前記仕切り板と平行な面に配置されたものであることを特徴とする請求項２に記載の送風機。
【請求項４】
前記第一ダクト及び第二ダクトの送風口が、前記筐体の表面における前記仕切り板と垂直な面に配置されたものであることを特徴とする請求項２に記載の送風機。
【請求項５】
前記振動板は、１Ｈｚ〜８０Ｈｚの周波数で振動するものであることを特徴とする請求項１から請求項４のいずれか一項に記載の送風機。
【請求項６】
前記低周波振動装置が、低周波スピーカーであることを特徴とする請求項１から請求項５のいずれか一項に記載の送風機。
【発明の詳細な説明】
【技術分野】
【０００１】
本発明は、羽根の無い送風機に関する。
【背景技術】
【０００２】
従来、装置内において、冷却、排気など行う場合、ファンの利用度が多い。また、家庭では扇風機が利用されている。これらは、モーターやエンジンの回転を利用して、羽根を回転させることにより送風を行っていた。特許文献１には、回転する羽根の周りを取り囲むガードを有する扇風機が開示されている。
【０００３】
また、特許文献２には、回転する羽根によって生じさせた空気流を、扇風機本体の上部に位置する環状のノズルから放出することで、ノズルが形成された面に羽根が無い扇風機が開示されている。
【先行技術文献】
【特許文献】
【０００４】
【特許文献１】特開２０１５−１０８３６２号公報
【特許文献２】特開２０１０−０７７９６９号公報
【発明の概要】
【発明が解決しようとする課題】
【０００５】
しかしながら、特許文献１のような羽根の周りを取り囲むガードがあったとしても、回転する羽根に紐等が巻きついてしまうことや、回転する羽根と指が接触して怪我が生じる等の安全上の問題があった。また、特許文献２では、空気流を生じさせるために、依然として回転する羽根を用いていた。
【０００６】
本発明は前述のような問題に鑑みてなされたもので、回転する羽根がなく、紐等の巻きつきや、指の怪我などが生じない安全度が高い送風機を提供することを目的とする。
【課題を解決するための手段】
【０００７】
上記目的を達成するために、本発明によれば、羽根の無い送風機であって、
空気の吐出及び吸気を行うダクトの送風口が表面に設けられた筐体と、該筐体内の空間を第一空間と第二空間に気密に仕切る仕切り板と、該仕切り板に取り付けられ、入力された電気信号に応じて振動する振動板を有する低周波振動装置とを備え、
前記ダクトは、前記第一空間に接続する第一ダクトと、前記第二空間に接続する第二ダクトとを有し、
前記振動板の振動によって、前記第一ダクト及び第二ダクトを通じて前記筐体内の空気の吐出、及び、前記筐体内への空気の吸気を行うものであることを特徴とする送風機を提供する。
【０００８】
このようなものであれば、羽根のような回転する機構が無いので、紐等の巻きつきや、指の怪我などがない安全度が高い送風機となる。
【０００９】
このとき、前記第一ダクト及び第二ダクトの送風口が、前記筐体の表面における同一の面に配置されたものであることが好ましい。
【００１０】
このようなものであれば、空気の吐出がされる第一ダクト及び第二ダクトの送風口が共に、筐体の表面における同一の面に配置されるので、効率的に送風を行うことができる。
【００１１】
またこのとき、前記第一ダクト及び第二ダクトの送風口が、前記筐体の表面における前記仕切り板と平行な面に配置されたものとすることができる。
このように送風口が配置されたものであれば、所望とされる方向に、効率的に送風を行うことができる。
【００１２】
またこのとき、前記第一ダクト及び第二ダクトの送風口が、前記筐体の表面における前記仕切り板と垂直な面に配置されたものとすることができる。
このように送風口が配置されたものであれば、所望とされる方向に、効率的に送風を行うことができる。
【００１３】
またこのとき、前記振動板は、１Ｈｚ〜８０Ｈｚの周波数で振動するものであることが好ましい。
このように、振動板を振動させる周波数として、上記のような周波数を好適に使用することができる。
【００１４】
またこのとき、前記低周波振動装置が、低周波スピーカーであることが好ましい。
このようなものであれば低コストとすることができるので、好ましい。
【発明の効果】
【００１５】
本発明の送風機であれば、羽根のような回転する機構が無いので、紐等の巻きつきや、指の怪我などが生じない安全度が高い送風機となる。
【図面の簡単な説明】
【００１６】
【図１】本発明の送風機の一例を示した概略図である。
【図２】本発明の送風機の一例を示した概略正面図である。
【図３】低周波スピーカーに電気信号を入力する発振器を示すブロック図である。
【図４】低周波スピーカーのボイスコイルに電気信号を入力したときに、コーンが振動する様子を示す説明図である。
【図５】第一ダクト及び第二ダクトの送風口が仕切り板と平行な面に配置された送風機を示した概略上面図である。
【図６】第一ダクト及び第二ダクトの送風口が仕切り板と垂直な面に配置された送風機を示した概略上面図である。
【発明を実施するための形態】
【００１７】
以下、本発明について実施の形態を説明するが、本発明はこれに限定されるものではない。
近年、送風機に関して回転する羽根に紐等が巻きついてしまうことや、回転する羽根と指が接触して怪我が生じる等の安全上の問題があった。
【００１８】
そこで、本発明者はこのような問題を解決すべく鋭意検討を重ねた。その結果、入力された電気信号に応じて振動する振動板によって、筐体内の空気の吐出、及び、吸気を行うものであれば、羽根のような回転する機構が無いので、紐等の巻きつきや、指の怪我などがない安全度が高い送風機となることを見出した。そして、これらを実施するための最良の形態について精査し、本発明を完成させた。
【００１９】
図１、図２に示すように、本発明の送風機１は、空気の吐出及び吸気を行うダクト２の送風口３が側面に設けられた筐体４と、該筐体４内の空間を第一空間５と第二空間６に気密に仕切る仕切り板７と、該仕切り板７に取り付けられ、入力された電気信号に応じて振動する振動板８を有する低周波振動装置９とを備える。
【００２０】
筐体４の形状は特に限定されず、例えば、箱型のものとすることができる。また、仕切り板７の形状は特に限定されず、筐体４内の空間を第一空間５と第二空間６に気密に仕切ることができればよい。例えば、筐体４内の空間の形状に合った、板状のものとすることができる。図１では、仕切り板７は筐体４の中央に設けられ、これによって筐体４内の空間を約半分ずつに第一空間５と第二空間６に気密に仕切っている。
【００２１】
仕切り板７には、振動板８を有する低周波振動装置９が取り付けられている。低周波振動装置９は、入力された電気信号に応じて振動する振動板８を有するものであればよく、例えば、低周波振動装置９を低周波スピーカーとすることができる。
このようなものであれば低コストとすることができるので、好ましい。
【００２２】
さらに具体的には、ダイナミックスピーカーの低音域（ウーハー）を用いることができる。
【００２３】
このような低周波スピーカーを駆動させるために、例えば、図３に示すような発振器２０を用いて、低周波スピーカー２１に電気信号を入力することができる。
発振器２０は、所望の周波数信号（例えば、１Ｈｚ〜８０Ｈｚのような低周波信号）を発振することができる主発振部２２と、該主発振部２２の発振する信号が入力され、電気信号を低周波スピーカー２１に出力する出力部２３とを有し、該出力部２３に電源部２４から電力が供給される。
【００２４】
図４は、低周波スピーカー２１のボイスコイル（不図示）に電気信号を入力したときに、ボイスコイルが振動するのに伴って、コーン２５が振動する様子を示す説明図である。
【００２５】
低周波スピーカー２１は、電磁振動の一種であり、ボイスコイルと、ボイスコイルに接続されたコーン２５を有する。低周波スピーカー２１のボイスコイルに電気信号（交流電源）が入力されると、入力された電気信号に応じてボイスコイルが振動する。
【００２６】
例えば、プラスのとき、ボイスコイルが前方に移動し、マイナスのとき、ボイスコイルが後方に移動する。また、電圧が０Ｖのときは、ボイスコイルは定位置(中央)である。このようにしてボイスコイルが振動すると、ボイルコイルに接続されるコーン２５も、プラスのときに前方、マイナスの時に後側、電圧が０Ｖのときに定位置と、ボイスコイルと同様に振動する。このようなスピーカー構造を持つ低周波スピーカー２１のコーン２５を、図１に示すような送風機１における振動板８として用いることができる。
【００２７】
振動面であるコーン２５が振幅を繰り返すことにより、ベローズポンプ構造となる。そして、この空中伝達振動を利用することにより、以下のようにして、送風が行われる。
【００２８】
図１、図２、図５に示すように、ダクト２は、第一空間５に接続する第一ダクト２ａと、第二空間６に接続する第二ダクト２ｂとを有する。そして、振動板８の振動によって、第一ダクト２ａ及び第二ダクト２ｂを通じて筐体４内の空気の吐出、及び、筐体４内への空気の吸気を行うことができる。
【００２９】
具体的には、振動板８が第一空間５側に振れた時、この振動板８の振れた容積分が圧力となり、第一空間５内の空気が第一ダクト２ａを通って、第一ダクト２ａの送風口３ａから吐出される。このとき同時に、第二ダクト２ｂの送風口３ｂから、第二ダクト２ｂを通って、第二空間６内に空気が吸気される。
【００３０】
同様に、振動板８が第二空間側６に振れた時は、第二空間６内の空気が第二ダクト２ｂを通って、第二ダクト２ｂの送風口３ｂから吐出される。このとき同時に、第一ダクト２ａの送風口３ａから、第一ダクト２ａを通って、第一空間５内に空気が吸気される。
【００３１】
このように、振動板８が振動することに伴って、第一ダクト２ａ及び第二ダクト２ｂのそれぞれの送風口３ａ、３ｂにおいて、上記の吐出と吸気が交互に繰り返されることによって送風が行われる。
【００３２】
このとき、振動板８は、１Ｈｚ〜８０Ｈｚの周波数で振動するものであることが好ましい。
このように、振動板８を振動させる周波数として、上記のような周波数を好適に使用することができる。
【００３３】
このとき、図２に示すように、第一ダクト２ａ及び第二ダクト２ｂの送風口３ａ、３ｂが、筐体４の表面における同一の面に配置されたものであることが好ましい。
【００３４】
このようなものであれば、空気の吐出がされる第一ダクト２ａ及び第二ダクト２ｂの送風口３ａ、３ｂが共に、筐体４の表面における同一の面に配置されるため、送風をより効率的に行うことができる。
【００３５】
またこのとき、第一ダクト２ａ及び第二ダクト２ｂの送風口３ａ、３ｂが設けられる筐体４の表面における面は特に限定されないが、例えば、図５に示すような、筐体４の表面における仕切り板７と平行な面に配置されたものとすることができる。または、図６に示すように、第一ダクト２ａ及び第二ダクト２ｂの送風口３ａ、３ｂが、筐体４の表面における仕切り板７と垂直な面に配置されたものとすることもできる。
このように送風口が配置されたものであれば、効率的に送風を行うことができるとともに、所望とされる方向に送風することができる。
【００３６】
以上説明したような、本発明の送風機であれば、回転する羽根を用いず風を発生させることができる。このように、羽根のような回転する機構が無いので、紐等の巻きつきや、指の怪我などがない安全度が高い送風機となる。
【実施例】
【００３７】
以下、本発明の実施例を示して本発明をより具体的に説明するが、本発明はこの実施例に限定されるものではない。
【００３８】
（実施例）
図１に示すような本発明の送風機１を作製した。筐体４の内寸は、高さ４０８ｍｍ×幅２４８ｍｍ×奥行き１９５ｍｍとした。低周波振動装置９としては、直径２０ｃｍの低周波スピーカーを用いた。また、送風口３の直径はそれぞれ２．５ｃｍとした。
【００３９】
そして、一定電圧（２０Ｖｐｐ）をスピーカーに印加しつつ、周波数を変化させた場合に、片方のダクト２の送風口３から吐出される空気の風速を測定した。このときの結果を表１に示した。
【００４０】
【表１】
2017025726.tif 000003
【００４１】
表１に示したように、振動板８の振動によって、ダクト２の送風口３から、十分な風速で送風を行うことができた。
【００４２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００４３】
１…送風機、  ２…ダクト、  ２ａ…第一ダクト、  ２ｂ…第二ダクト、
３…送風口、  ３ａ…第一ダクトの送風口、  ３ｂ…第二ダクトの送風口、
４…筐体、  ５…第一空間、  ６…第二空間、  ７…仕切り板、  ８…振動板、
９…低周波振動装置、  ２０…発振器、  ２１…低周波スピーカー、
２２…主発振部、  ２３…出力部、  ２４…電源部、  ２５…コーン。
【図１】
2017025726.tif 000004
【図２】
2017025726.tif 000005
【図３】
2017025726.tif 000006
【図４】
2017025726.tif 000007
【図５】
2017025726.tif 000008
【図６】
2017025726.tif 000009